【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  延性及びγ線耐性のオレフィンポリマー組成物であって、
（ａ）オレフィンポリマー、
（ｂ）該組成物の延性を増加させるのに有効な量のＮ，Ｎ−ジアルキルヒドロキシルアミン、及び
（ｃ）該組成物のγ線耐性を増加させるのに有効な量で存在する、立体障害ピペリジノ基含有ポリシロキサン
を含むことを特徴とする組成物。
【請求項２】  Ｎ，Ｎ−ジアルキルヒドロキシルアミンが、式：
Ｒ1Ｒ2ＮＯＨ
（式中、Ｒ1及びＲ2は、独立して、ヒドロキシル基で置換又は置換されていないＣ1-36のアルキルである）で示される、請求項１に記載のポリマー組成物。
【請求項３】  Ｎ，Ｎ−ジアルキルヒドロキシルアミンが、Ｎ，Ｎ−ジステアリルヒドロキシルアミンである、請求項２に記載のポリマー組成物。
【請求項４】  Ｎ，Ｎ−ジアルキルヒドロキシルアミンが、ジ（水素化獣脂）ヒドロキシルアミンからなる、請求項２に記載のポリマー組成物。
【請求項５】  Ｎ，Ｎ−ジアルキルヒドロキシルアミンが、オレフィンポリマーの重量を基本として、０．０１〜５．０重量％の範囲で存在する、請求項１に記載のポリマー組成物。
【請求項６】  Ｎ，Ｎ−ジアルキルヒドロキシルアミンが、オレフィンポリマーの重量を基本として、０．１〜０．５重量％の範囲で存在する、請求項５に記載のポリマー組成物。
【請求項７】  前記ポリシロキサンが、式（Ｉ）：
【化１】
1999263886.tif 000001
（式中、Ｒ1及びＲ3は、独立して、直鎖又は分岐したＣ1-10アルキル基、Ｃ5-11シクロアルキル基又はフェニル基であり、
Ｒ2は、式ＩＩ〜ＩＶの１つで示され、
【化２】
1999263886.tif 000002
（式中、Ｒ4は水素、メチル又はベンジルであり、
Ｒ5は直鎖状又は分岐したＣ1〜Ｃ7アルキル基であり、
ｚは、−Ｏ−又は式：
【化３】
1999263886.tif 000003
（式中、Ｒ7は直鎖状又は分岐したＣ1〜Ｃ5アルキル基又は水素である）であり、
Ｒ6は水素又はメチルであり、
ｑは０又は１である）、
ｎは整数であり、
ｍ及びｐは、同一又は異なり、０又は整数であり、ただしｎ＋ｐ＋ｍは５０以下の整数であり、
Ａは式（ＩＩＩ）：
【化４】
1999263886.tif 000004
（式中、Ｒ1は前記と同様である）に対応する基であり、
Ｂは式（ＩＶ）：
【化５】
1999263886.tif 000005
（式中、Ｒ1は前記と同様である）に対応する基であるか、又は
Ａ及びＢは共同して直接の結合を表し、環状構造を与える。）で示される、請求項１に記載のポリマー組成物。
【請求項８】  前記ポリシロキサンが、ポリメチルプロピル３−オキシ−［４−（２，２，６，６−テトラメチル）ピペリジニル］シロキサンである、請求項７に記載のポリマー組成物。
【請求項９】  オレフィンポリマーが、９０をこえるアイソタクチック指数を有する結晶性プロピレンホモポリマー、又はプロピレンとエチレン若しくはＣ4〜Ｃ10の１−オレフィンとの結晶性ランダムコポリマーである、請求項１に記載のポリマー組成物。
【請求項１０】  オレフィンポリマーが、１１〜１５ｇ／１０分間のメルトフローレートを有する、請求項１に記載のポリマー組成物。
【請求項１１】  更に、オレフィンポリマーの黄変に対する耐性を増加させるために有効な量の第二の安定剤添加物を含んでおり、該第二の安定剤がホスフィット、ホスホナイト及びヒンダードアミンからなる群より選ばれる少なくとも１つの光安定剤である、請求項１に記載のポリマー組成物。
【請求項１２】  ホスフィットが、トリス（２，４−ジ−ｔｅｒｔ−ブチルフェニル）ホスフィット、２，２' , ２''−ニトリロトリエチル−トリス［３，３' ，５，５''−テトラ−ｔｅｒｔ−ブチル−１，１' −ビフェニル−２，２−ジイル］ホスフィット、及び亜リン酸のビス［２，４−ビス（１，１−ジメチルエチル）−６−メチルフェニル］エチルエステルからなる群より選ばれる少なくとも１つである、請求項１１記載のポリマー組成物。
【請求項１３】  ヒンダードアミンが、ビス（２，２，６，６−テトラメチルピペリジン−４−イル）セバケート、１−（２−ヒドロキシエチル）−２，２，６，６−テトラメチル−４−ヒドロキシピペリジンとコハク酸との重縮合産物、２，４−ジクロロ−６−ｔｅｒｔ−オクチルアミノ−ｓ−トリアジンと４，４'−ヘキサメチレンビス−（アミノ−２，２，６，６−テトラメチルピペリジン）との重縮合産物又はＮ，Ｎ'，Ｎ''，Ｎ'''−テトラキス［４，６−ビス（ブチル−（２，２，６，６−テトラメチル−ピペリジン−４−イル）アミノ）−ｓ−トリアジン−２−イル］−１，１０−ジアミノ−４，７−ジアザデカンからなる群より選ばれる少なくとも１つである、請求項１１に記載のポリマー組成物。
【請求項１４】  更に、金属セッケン、ヒドロタルサイト、ケイ酸アルミニウム、カルシウム並びにＩＩ族金属の酸化物及び水酸化物からなる群より選ばれる少なくとも１つの酸中和剤を含んでいる、請求項１に記載のポリマー組成物。
【請求項１５】  更に、ビス−（３，５−ジメチルベンジリデン）ソルビトール、（１，３）２，４−ジ（ｐ−メチルベンジリデン）ソルビトール、ｐ−エチルベンジリデンソルビトール及び２，４−ジメチルベンジリデンソルビトールからなる群より選ばれる少なくとも１つのソルビトールを基本とした化合物を含んでいる、請求項１に記載のポリマー組成物。
【請求項１６】  延性及びγ線耐性のオレフィンポリマー組成物であって、
（ａ）オレフィンポリマー、
（ｂ）組成物の延性を増加させるのに有効な量のヒドロキシル置換三級アミン、及び
（ｃ）組成物のγ線耐性を増加させるのに有効な量の、ポリメチルプロピル３−オキシ−［４−（２，２，６，６−テトラメチル）ピペリジニル］シロキサン、を混合することにより製造されることを特徴とする組成物。
【請求項１７】  滅菌可能な物品であって、該物品の材料構成の少なくとも一部が請求項１に記載のポリマー組成物を含んでいる物品。
【請求項１８】  注射外筒、注射器のプランジャー、チュービング、チューブ組立体、鉗子、手術用クランプ、組織培養チューブ及び手術着用繊維からなる群より選ばれる、請求項１７に記載の滅菌可能な物品。
【請求項１９】  滅菌した物品であって、該物品の材料構成の少なくとも一部が請求項１に記載のポリマー組成物を含んでいる物品。
【手続補正２】
【補正対象書類名】明細書
【補正対象項目名】０００９
【補正方法】変更
【補正の内容】
【０００９】
立体障害ピペリジノ基含有ポリシロキサンは、好ましくは、式（Ｉ）：
【化６】
1999263886.tif 000006
（式中、Ｒ1及びＲ3は、独立して、直鎖又は分岐したＣ1-10アルキル基、Ｃ5-11シクロアルキル基又はフェニル基であり、
Ｒ2は、式ＩＩ〜ＩＶの１つで示され、
【化７】
1999263886.tif 000007
（式中、Ｒ4は水素、メチル又はベンジルであり、
Ｒ5は直鎖状又は分岐したＣ1〜Ｃ7アルキル基であり、
ｚは、−Ｏ−又は式：
【化８】
1999263886.tif 000008
（式中、Ｒ7は直鎖状又は分岐したＣ1〜Ｃ5アルキル基又は水素である）であり、
Ｒ6は水素又はメチルであり、
ｑは０又は１である）、
ｎは整数であり、
ｍ及びｐは、同一又は異なり、０又は整数であり、ただしｎ＋ｐ＋ｍは５０以下の整数であり、
Ａは式（ＩＩＩ）：
【化９】
1999263886.tif 000009
（式中、Ｒ1は前記と同様である）に対応する基であり、
Ｂは式（ＩＶ）：
【化１０】
1999263886.tif 000010
（式中、Ｒ1は前記と同様である）に対応する基であるか、又は
Ａ及びＢは共同して直接の結合を表し、環状構造を与える。）で示される。式（Ｉ）に対応するポリシロキサン安定剤は、モノマー単位のランダム分布を有し、直鎖状又は環状構造を有しているポリマーである。
特に、Ａ及びＢが式（ＩＩＩ）及び（ＩＶ）に対応する基であるとき、安定剤は直鎖構造であり、Ａ及びＢが共同して直接の結合を表すとき、安定剤は環状構造である。
前記式の範囲内にある好ましいポリシロキサンは、ポリメチルプロピル３−オキシ−［４−（２，２，６，６−テトラメチル）ピペリジニル］シロキサンであり、これは、商標名ウバシル（Uvasil）２９９のもと、グレート・レイクス・ケミカル・コーポレーション（Great Lakes Chemical Corporation）より商業的に入手可能である。